(57)【要約】  適応変調回路を備えた無線伝送装置１０および適応変調回路の制御方法は、有線伝送路１１から受信したイーサネット信号を、無線伝送路１３を介して１対１で対向局へ送出し、対向局でイーサネット信号を再び有線伝送路１１に出力するものであり、時間帯別のイーサネット信号のトラフィック量を統計データとして蓄積するトラフィック統計回路１７を備え、蓄積された統計データに基づき、トラフィック量が少ない時間帯は変調方式の多値数を小さくすることにより無線伝送容量を削減する。
2012173036.tif 000002
【特許請求の範囲】
【請求項１】
有線伝送路から受信したイーサネット信号を、無線伝送路を介して１対１で対向局へ送出し、対向局で前記イーサネット信号を有線伝送路に再び出力する無線伝送装置であって、
時間帯別のイーサネット信号のトラフィック量を統計データとして蓄積するトラフィック統計回路を備え、
前記トラフィック統計回路に蓄積された前記統計データに基づき、前記トラフィック量が少ない時間帯は変調方式の多値数を小さくすることにより無線伝送容量を抑制する適応変調回路を備えた無線伝送装置。
【請求項２】
有線伝送路から受信したイーサネット信号を、無線伝送路を介して１対１で対向局へ送出し、対向局で前記イーサネット信号を有線伝送路に再び出力する無線伝送装置であって、
時間帯別のイーサネット信号のトラフィック量を統計データとして蓄積するとともに、あらかじめ定めた一定期間に蓄積したトラフィック量情報をもとに同一時間帯のトラフィック量情報の最頻値を算出して統計トラフィック量情報を生成するトラフィック統計回路を備え、
一定の回線品質が確保可能な範囲において変調方式の多値数を小さくすることで生じた無線伝送路の受信電界マージンに相当する無線送信電力を抑制する適応変調回路を備えた無線伝送装置。
【請求項３】
有線伝送路から受信したイーサネット信号を、無線伝送路を介して１対１で対向局へ送出し、対向局で前記イーサネット信号を有線伝送路に再び出力する無線伝送装置であって、
時間帯別のイーサネット信号のトラフィック量を統計データとして蓄積するとともに、あらかじめ定めた一定期間に蓄積したトラフィック量情報をもとに同一時間帯のトラフィック量情報の最頻値を算出して統計トラフィック量情報を生成するトラフィック統計回路を備え、
前記トラフィック統計回路に蓄積された前記統計データに基づき、前記トラフィック量が少ない時間帯は変調方式の多値数を小さくすることにより無線伝送容量を削減するとともに、一定の回線品質が確保可能な範囲において変調方式の多値数を小さくすることで生じた無線伝送路の受信電界マージンに相当する無線送信電力を抑制する適応変調回路を備えた無線伝送装置。
【請求項４】
請求項１ないし請求項３のうちのいずれか１項に記載の適応変調回路を備えた無線伝送装置において、
前記トラフィック統計回路から得られた統計トラフィック量情報に応じて、あらかじめ定めた変調方式と無線送信電力とを選択して、無線伝送容量情報、変調方式情報、および無線送信電力制御情報を生成する変調方式設定回路を備える適応変調回路を備えた無線伝送装置。
【請求項５】
有線伝送路から受信したイーサネット信号を、無線伝送路を介して１対１で対向局へ送出し、対向局で前記イーサネット信号を有線伝送路に再び出力する適応変調回路の制御方法であって、
時間帯別のイーサネット信号のトラフィック量を統計データとして蓄積し、前記統計データに基づき、前記トラフィック量が少ない時間帯は変調方式の多値数を小さくすることにより無線伝送容量を削減するとともに、一定の回線品質が確保可能な範囲において変調方式の多値数を小さくすることで生じた無線伝送路の受信電界マージンに相当する無線送信電力を抑制する適応変調回路の制御方法。
【発明の詳細な説明】
【技術分野】
【０００１】
本発明は、有線伝送路から受信したイーサネット（登録商標）信号を、無線伝送路を介して１対１で対向局へ送出し、対向局でイーサネット信号を有線伝送路に再び出力する適応変調回路を備えた無線伝送装置および適応変調回路の制御方法に関する。
【背景技術】
【０００２】
従来の無線伝送装置として、送受信装置が、受信信号に基づいて伝搬路状況を推定し、伝搬路状況において一定水準の通信品質を満たし、且つ最高の伝送速度となる変調方式を第１の変調方式として決定するものが知られている（例えば、特許文献１参照）。
特許文献１に記載された無線伝送装置は、送信データのトラフィック量を検出し、トラフィック量を伝送可能な最低の伝送速度となる変調方式を第２の変調方式として決定する。
この無線伝送装置は、第１の変調方式と第２の変調方式の内、伝送速度が低い方を送信変調方式として選択する。
さらにこの無線伝送装置は、トラフィック量に応じた無線伝送容量となるように変調方式を逐次選択することで消費電力を低減する。【０００３】
従来の無線伝送装置として、通信制御機能により通信能力を決定するための情報に通信トラフィック量を使用するものが知られている（例えば、特許文献２参照）。
特許文献２に記載された無線伝送装置は、通信制御機能により通信能力を決定するための情報に通信時間帯を使用する。
この無線伝送装置は、通信トラフィック条件に応じた最適な通信能力と最適な電力消費とを実現でき、通信時間帯に応じた最適な通信能力と最適な電力消費とを実現できる。【０００４】
このように伝送信号のトラフィック量に基づき適応変調回路と無線送信電力を制御することで無線伝送装置の消費電力を低減する方法は、これまでにも様々な提案がされている。
一般的な技術として、無線変調方式の多値数を大きくすると無線伝送容量は増加するが無線伝送路のエラー耐性は低下し、変調方式の多値数を小さくすると無線伝送容量は低下するが高いエラー耐性を確保できる。
つまり、同一の無線伝搬条件においては、多値数が小さい変調方式を用いた方が、より低い送信電力において良好な伝搬特性を得ることが可能となる。
通常、トラフィック量は時々刻々と変化するが、運用時間帯とトラフィック量に相関があることが知られている。
特に、連続的に無線送受信を行う無線伝送装置を用いて不連続信号列を伝送する場合、伝送するトラフィックが存在しない状態においても常に無線送受信を維持している状態となる。
トラフィック量が減少した状況でも常に一定の電力を消費することから、回線状態やトラフィック量に応じた電力制御が求められていた。
【先行技術文献】
【特許文献】
【０００５】
【特許文献１】特開２００６−１６５９３９号公報
【特許文献２】特開２００５−２６０４１４号公報
【発明の概要】
【発明が解決しようとする課題】
【０００６】
特許文献１の無線伝送装置は、トラフィック量に応じた無線伝送容量となるように変調方式を逐次選択することで消費電力を低減できる。
しかし、この無線伝送装置においては、逐次変化するトラフィック量に連動した適応変調制御方式であるために、伝送信号の瞬時変動に対して適応変調制御が追従してしまう。
従って、特許文献１に記載された技術では、十分な消費電力抑制効果が得られない。【０００７】
一方、特許文献２に記載された技術によれば、通信トラフィック条件に応じた最適な通信能力と最適な電力消費とを実現でき、通信時間帯に応じた最適な通信能力と最適な電力消費とを実現できる。
しかし、特許文献２の無線伝送装置においては、あらかじめ定めた情報量に基づいて処理が行われる。
従って、この装置は、予め固定的に定められた時間運用を行うために、実運用回線の特性に併せて自ら適用するようにできない。【０００８】
本発明は、前述した課題を解決するためになされたものであり、その目的は、設置環境に応じて、統計的にトラフィック量が少ない時間帯の無線送信電力を抑制でき、消費電力の削減効果を取得できる適応変調回路を備えた無線伝送装置および適応変調回路の制御方法を提供することにある。
【課題を解決するための手段】
【０００９】
本発明の一様態における適応変調回路を備えた無線伝送装置は、有線伝送路から受信したイーサネット信号を、無線伝送路を介して１対１で対向局へ送出し、対向局で前記イーサネット信号を有線伝送路に再び出力する無線伝送装置であって、時間帯別のイーサネット信号のトラフィック量を統計データとして蓄積するトラフィック統計回路を備え、前記トラフィック統計回路に蓄積された前記統計データに基づき、トラフィック量が少ない時間帯は変調方式の多値数を小さくすることにより無線伝送容量を削減する。【００１０】
本発明の一様態における適応変調回路を備えた無線伝送装置は、有線伝送路から受信したイーサネット信号を、無線伝送路を介して１対１で対向局へ送出し、対向局で前記イーサネット信号を有線伝送路に再び出力する無線伝送装置であって、時間帯別のイーサネット信号のトラフィック量を統計データとして蓄積するとともに、あらかじめ定めた一定期間に蓄積したトラフィック量情報をもとに同一時間帯のトラフィック量情報の最頻値を算出して統計トラフィック量情報を生成するトラフィック統計回路を備え、一定の回線品質が確保可能な範囲において変調方式の多値数を小さくすることで生じた無線伝送路の受信電界マージンに相当する無線送信電力を削減する。【００１１】
本発明の一様態における適応変調回路を備えた無線伝送装置は、有線伝送路から受信したイーサネット信号を、無線伝送路を介して１対１で対向局へ送出し、対向局で前記イーサネット信号を有線伝送路に再び出力する無線伝送装置であって、時間帯別のイーサネット信号のトラフィック量を統計データとして蓄積するとともに、あらかじめ定めた一定期間に蓄積したトラフィック量情報をもとに同一時間帯のトラフィック量情報の最頻値を算出して統計トラフィック量情報を生成するトラフィック統計回路を備え、前記トラフィック統計回路に蓄積された前記統計データに基づき、トラフィック量が少ない時間帯は変調方式の多値数を小さくすることにより無線伝送容量を削減するとともに、一定の回線品質が確保可能な範囲において変調方式の多値数を小さくすることで生じた無線伝送路の受信電界マージンに相当する無線送信電力を低減する。【００１２】
本発明の一様態における適応変調回路を備えた無線伝送装置は、前記トラフィック統計回路から得られた統計トラフィック量情報に応じて、あらかじめ定めた変調方式と無線送信電力とを選択して、無線伝送容量情報、変調方式情報、および無線送信電力制御情報を生成する変調方式設定回路を備える。【００１３】
本発明の一様態における適応変調回路の制御方法は、有線伝送路から受信したイーサネット信号を、無線伝送路を介して１対１で対向局へ送出し、対向局で前記イーサネット信号を有線伝送路に再び出力する適応変調回路の制御方法であって、時間帯別のイーサネット信号のトラフィック量を統計データとして蓄積し、前記統計データに基づき、前記トラフィック量が少ない時間帯は変調方式の多値数を小さくすることにより無線伝送容量を削減するとともに、一定の回線品質が確保可能な範囲において変調方式の多値数を小さくすることで生じた無線伝送路の受信電界マージンに相当する無線送信電力を削減する。
【発明の効果】
【００１４】
本発明に係る適応変調回路を備えた無線伝送装置および適応変調回路の制御方法によれば、設置環境に応じて、統計的にトラフィック量が少ない時間帯の無線送信電力を抑制でき、消費電力の削減効果を取得できる。
【図面の簡単な説明】
【００１５】
【図１】本発明の一実施形態に係る適応変調回路を備えた無線伝送装置のブロック構成図である。
【図２】（ａ）は本発明の一実施形態に係る適応変調回路の制御方法においてトラフィック統計回路が生成した統計トラフィック量情報の時間推移図である。（ｂ）は本発明の一実施形態に係る適応変調回路の制御方法において変調方式設定回路がトラフィック統計回路から受信した統計トラフィック量情報に基づいて選択した無線伝送容量の時間推移図である。（ｃ）は本発明の一実施形態に係わる適応変調回路の制御方法において変調方式設定回路がトラフィック統計回路から受信した統計トラフィック量情報に基づいて選択した変調方式の時間推移図である。（ｄ）は本発明の一実施形態に係わる適応変調回路の制御方法において変調方式設定回路がトラフィック統計回路から受信した統計トラフィック量情報に基づいて選択した無線送信電力の時間推移図である。
【図３】本発明の一実施形態に係わる適応変調回路の制御方法において統計トラフィック量の値と閾値との関係により決定されるテーブルである。
【発明を実施するための形態】
【００１６】
以下、本発明に係る一実施形態の適応変調回路を備えた無線伝送装置および適応変調回路の制御方法について図面を参照して説明する。
図１に示すように、無線伝送装置１０は、有線伝送路１１に接続された適応変調機能を具備している。
無線伝送装置１０は、無線伝送信号を送信信号と受信信号とに分離するサーキュレータ１２を介して無線伝送路１３に接続されている。
無線伝送装置１０は、送信バッファ１４と、送信回路１５と、送信電力制御回路１６と、トラフィック統計回路１７と、変調方式設定回路１８と、受信回路１９とから構成される。
【００１７】
無線伝送装置１０は、有線伝送路１１から受信したイーサネット信号を、送信バッファ１４と、送信回路１５と、送信電力制御回路１６と、サーキュレータ１２とを介して無線伝送路１３に出力する。
また、無線伝送装置１０は、無線伝送路１３を介して図示しない対向局から受信したイーサネット信号をサーキュレータ１２および受信回路１９を介して有線伝送路１１に出力する。
【００１８】
トラフィック統計回路１７は、有線伝送路１１から受信したイーサネット信号を常に監視し、あらかじめ定めた一定時間単位でトラフィック量を検出して時間帯別にトラフィック量情報を蓄積する。
また、トラフィック統計回路１７は、あらかじめ定めた一定期間に蓄積したトラフィック量情報をもとに同一時間帯のトラフィック量情報の最頻値を算出して統計トラフィック量情報を生成し、後述する変調方式設定回路１８に通知する。
【００１９】
変調方式設定回路１８は、トラフィック統計回路１７から受信した統計トラフィック量情報に応じて、あらかじめ定めた変調方式と無線送信電力とを選択して、無線伝送容量情報、変調方式情報、および無線送信電力制御情報を生成する。
そして、変調方式設定回路１８は、生成した無線伝送容量情報、変調方式情報、および無線送信電力制御情報を、送信バッファ１４、送信回路１５、および送信電力制御回路１６にそれぞれ出力する。
【００２０】
次に、適応変調回路の制御方法において、変調方式設定回路１８が決定する無線伝送容量、変調方式、および無線送信電力の処理について図２における（ａ）、（ｂ）、（ｃ）、（ｄ）および図３を参照して詳細に説明する。
なお、図２の（ａ）は、トラフィック統計回路１７が生成した統計トラフィック量情報の時間推移を示しており、ｔｈ１、ｔｈ２は無線伝送容量３２、変調方式３３、および無線送信電力３４を変更する基準となる統計トラフィック量３１の閾値を示している。
また、図２の（ａ）において、時刻ｔ１、ｔ２、ｔ３は統計トラフィック量３１が閾値ｔｈ１、ｔｈ２をクロスする時の時刻を示している。
図２における（ｂ）、（ｃ）、（ｄ）は、変調方式設定回路１８がトラフィック統計回路１７から受信した統計トラフィック量情報に基づいて選択した無線伝送容量３２、変調方式３３、および無線送信電力３４の時間推移をそれぞれ示している。
そして、図３に示す統計トラフィック量Ｘの値と、閾値ｔｈ１、ｔｈ２との関係のテーブルを参照することにより、無線伝送容量３２がｃ１〜ｃ３の値に、変調方式３３がｍ１〜ｍ３の値に、無線送信電力３４がｐ１〜ｐ３の値にそれぞれ決定される。
【００２１】
例えば、図２の（ａ）において、時刻ｔ１から時刻ｔ２の間の時間帯のように、統計トラフィック量３１が、閾値ｔｈ１と閾値ｔｈ２との間にある場合は、図３に示すｔｈ１≦Ｘ＜ｔｈ２の条件が成立する。
そのため、無線伝送容量にｃ２の値を、変調方式にｍ２の値を、無線送信電力にｐ２の値をそれぞれ選択する。
【００２２】
図１に戻り、送信バッファ１４は、有線伝送路１１から受信したイーサネット信号のトラフィックが輻輳した場合に、イーサネット信号を一時的に蓄積する。
同時に、送信バッファ１４は、変調方式設定回路１８から受信した無線伝送容量情報に基づき、無線伝送容量に応じたイーサネット信号を送信回路１５に出力する。
送信回路１５は、変調方式設定回路１８から受信した変調方式情報に基づいて無線変調方式を選択するとともに、送信バッファ１４から受信したイーサネット信号を無線信号に多重して無線送信信号を生成し、送信電力制御回路１６に出力する。
送信電力制御回路１６は、変調方式設定回路１８から受信した無線送信電力情報に基づいて無線送信電力を選択し、送信回路１５から受信した無線送信信号を、サーキュレータ１２を介して無線伝送路１３に出力する。
受信回路１９は、サーキュレータ１２を介して無線伝送路１３から受信した無線受信信号から、図示しない対向局で多重されたイーサネット信号を抽出して有線伝送路１１に出力する。
【００２３】
次に、無線伝送装置１０が実行する適応変調回路の制御方法について、図２における（ａ）、（ｂ）、（ｃ）、および（ｄ）に示した時間推移図に合わせて、図１ないし図３を参照して詳細に説明する。
図２の（ａ）、（ｂ）、（ｃ）、および（ｄ）において、時刻ｔ１までの時間帯は、トラフィック量が統計的に少ない時間帯を示している。
そのため、変調方式の多値数を小さくするとともに、回線品質が確保可能な範囲で受信電界のマージン分の送信電力を抑制する制御を実施する区間を示している。
このとき、統計トラフィック量３１が閾値ｔｈ１を下回っていることから、図３に示す条件１に該当する。
これにより、変調方式設定回路１８は、送信バッファ１４に対して無線伝送容量３２がｃ１であることを、送信回路１５に対して変調方式３３がｍ１であることを、送信電力制御回路１６に対して無線送信電力３４がｐ１であることをそれぞれ通知する。
【００２４】
図２の（ａ）、（ｂ）、（ｃ）および（ｄ）において、時刻ｔ２からｔ３の間の時間帯は、トラフィック量が統計的に多い時間帯を示している。
そのため、変調方式の多値数を上げて伝送容量を確保するとともに、必要な回線品質を確保するために送信電力を上げる制御を実施する区間を示している。
このとき、統計トラフィック量３１が閾値ｔｈ２を上回っていることから、図３に示す条件３に該当する。
これにより、変調方式設定回路１８は、送信バッファ１４に対して無線伝送容量３２がｃ３であること、送信回路１５に対して変調方式３３がｍ３であることを、送信電力制御回路１６に対して無線送信電力３４がｐ３であることをそれぞれ通知する。
【００２５】
図２の（ａ）、（ｂ）、（ｃ）および（ｄ）において、時刻ｔ１からｔ２、および時刻ｔ３以降の時間帯も同様に、図３に示す条件２に該当する。
そのため、変調方式設定回路１８は、送信バッファ１４に対して無線伝送容量３２がｃ２であることを、送信回路１５に対して変調方式３３がｍ２であることを、送信電力制御回路１６に対して無線送信電力３４がｐ２であることをそれぞれ通知する。
【００２６】
このように、無線伝送装置１０は、瞬時的なトラフィック量の増加を送信バッファ１４で吸収するとともに、統計的データに基づきトラフィック量が少ない時間帯において、送信電力を抑制できる。
【００２７】
なお、本発明の一実施形態では、トラフィック統計回路１７において蓄積したトラフィック量情報をもとに、同一時間帯のトラフィック量情報の最頻値を算出して統計トラフィック量情報を生成した。
これとは異なり、他の実施形態として、統計トラフィック量の算出方法は最頻値に限らず、ピーク値や平均値を求める方法でも実施できる。
また、さらに異なる実施形態として、統計対象とするトラフィックについては、全トラフィックである必要はなく、データサイズやトラフィック種別など特定条件に合致するトラフィックのみを統計の対象としても良い。
【００２８】
以上、説明したように一実施形態の適応変調回路を備えた無線伝送装置１０によれば、瞬時のトラフィック増加を送信バッファ１４で吸収する。
そして、適応変調回路を備えた無線伝送装置１０によれば、トラフィック統計回路１７がイーサネット信号のトラフィック量を時間帯別に集計して統計トラフィック量として蓄積する。
さらに、適応変調回路を備えた無線伝送装置１０によれば、トラフィック統計回路１７に蓄積された統計トラフィック量に基づきトラフィック量の少ない時間帯は、無線変調方式の多値数を小さくして無線伝送容量を抑制する。
従って、適応変調回路を備えた無線伝送装置１０によれば、無線伝送容量を抑制することにより、消費電力を削減できる。
【００２９】
また、一実施形態の適応変調回路を備えた無線伝送装置１０によれば、瞬時のトラフィック増加を送信バッファ１４で吸収する。
そして、適応変調回路を備えた無線伝送装置１０によれば、トラフィック統計回路１７がイーサネット信号のトラフィック量を時間帯別に集計して統計トラフィック量として蓄積する。
さらに、適応変調回路を備えた無線伝送装置１０によれば、トラフィック統計回路１７に蓄積された統計トラフィック量に基づきトラフィック量の少ない時間帯は、回線品質が確保可能な範囲で無線送信電力を抑制する。
従って、適応変調回路を備えた無線伝送装置１０によれば、無線伝送容量を抑制することにより、消費電力を削減できる。
【００３０】
そして、一実施形態の適応変調回路を備えた無線伝送装置１０によれば、瞬時のトラフィック増加を送信バッファ１４で吸収する。
そして、適応変調回路を備えた無線伝送装置１０によれば、トラフィック統計回路１７がイーサネット信号のトラフィック量を時間帯別に集計して統計トラフィック量として蓄積する。
さらに、適応変調回路を備えた無線伝送装置１０によれば、トラフィック統計回路１７に蓄積された統計トラフィック量に基づきトラフィック量の少ない時間帯は、無線変調方式の多値数を小さくする。
加えて、適応変調回路を備えた無線伝送装置１０によれば、トラフィック統計回路１７に蓄積された統計トラフィック量に基づきトラフィック量の少ない時間帯は、回線品質が確保可能な範囲で無線送信電力を抑制する。
従って、適応変調回路を備えた無線伝送装置１０によれば、無線伝送容量を抑制することにより、消費電力を削減できる。
【００３１】
加えて、本発明の一実施形態に係わる適応変調回路を備えた無線伝送装置１０によれば、トラフィック統計回路１７から得られた統計トラフィック量情報に応じて、あらかじめ定めた変調方式と無線送信電力とを選択して、無線伝送容量情報、変調方式情報、および無線送信電力制御情報を生成する変調方式設定回路１８を備える。
従って、適応変調回路を備えた無線伝送装置１０によれば、変調方式設定回路１８により、統計トラフィック量の少ない時間帯において無線伝送容量および無線送信電力を集中的に抑制できる。
【００３２】
さらに、本発明の一実施形態に係わる適応変調回路の制御方法によれば、瞬時のトラフィック増加を吸収し、イーサネット信号のトラフィック量を時間帯別に集計して統計トラフィック量として蓄積する。
そして、本発明の一実施形態に係わる適応変調回路の制御方法によれば、蓄積された統計トラフィック量に基づきトラフィック量の少ない時間帯は、無線変調方式の多値数を小さくする。
さらに、本発明の一実施形態に係わる適応変調回路の制御方法によれば、蓄積された統計トラフィック量に基づきトラフィック量の少ない時間帯は、回線品質が確保可能な範囲で無線送信電力を抑制する。
従って、本発明の一実施形態に係わる適応変調回路の制御方法によれば、無線伝送容量を抑制することにより、消費電力を削減できる。
【００３３】
なお、本発明の一実施形態に係わる適応変調回路を備えた無線伝送装置および適応変調回路の制御方法は、前述した一実施形態に限定されるものでなく、適宜な変形や改良等が可能である。
【産業上の利用可能性】
【００３４】
以上述べたように、本発明に係わる適応変調回路を備えた無線伝送装置および適応変調回路の制御方法によれば、設置環境に応じて、統計的にトラフィック量が少ない時間帯の無線送信電力を抑制でき、消費電力の削減効果を取得できるものである。
以上の結果として、通信事業者等が使用するインフラ向け通信機器、特にマイクロ波・ミリ波等を用いた固定無線伝送装置に適用でき、本発明の産業上の利用可能性は大といえる。
設置環境に応じて、統計的にトラフィック量が少ない時間帯の無線送信電力を抑制でき、消費電力の削減効果を取得できる適応変調回路を備えた無線伝送装置および適応変調回路の制御方法を提供することができる。【００３５】
本願は、２０１１年６月１３日に、日本に出願された特願２０１１−１３１０１９号に基づき優先権を主張し、その内容をここに援用する。
【符号の説明】
【００３６】
１０    無線伝送装置
１１    有線伝送路
１３    無線伝送路
１７    トラフィック統計回路
１８    変調方式設定回路
【図１】
2012173036.tif 000003
【図２】
2012173036.tif 000004
【図３】
2012173036.tif 000005
【国際調査報告】
2012173036.tif 000006
2012173036.tif 000007